(57)【要約】【課題】個人ユーザでも自身で容易に頭髪を根本から毛先まで部分染めすることができる部分毛染装置を提供する。【解決手段】部分毛染装置１００は、染毛部部材１２０を開放する待機位置と所定間隔で対向する毛染位置とに変位自在な染毛部対向部材１３０を有する。この染毛部対向部材１３０を待機位置に配置したまま、染毛部部材１２０に染毛剤を漏出させることで、頭髪ＨＩの根本部分を部分染めすることができる。つぎに、染毛部対向部材１３０を毛染位置に変位させて染毛部部材１２０と対向させ、根本部分が部分染めされた頭髪ＨＩを層状に挿通させる。この状態で吐出容器ＳＴを押圧しながら毛染装置本体１１０を頭髪ＨＩの毛先部分まで移動させることで、個人ユーザでも容易に頭髪ＨＩを層状に根本部分から毛先部分まで部分染めすることができる。【選択図】図１
2011101731.tif 000002
【特許請求の範囲】
【請求項１】
頭髪の部分染めに利用される部分毛染装置であって、
毛染装置本体と、
前記毛染装置本体の上面に吐出容器を保持する容器保持機構と、
前記毛染装置本体の下面前部に形成されていて吐出容器に収容されている染毛剤を漏出させる染毛部部材と、
保持されている前記吐出容器と前記染毛部部材とを配管する供給管と、
前記染毛部部材を開放する待機位置と前記染毛部部材に所定間隔で対向する毛染位置とに変位自在に前記毛染装置本体の下面側に設けられた染毛部対向部材と、
を有する部分毛染装置。
【請求項２】
前記染毛部対向部材は、前記毛染装置本体の下面から下方に突出している突出ヒンジ機構で前後方向に揺動自在に軸支されている請求項１に記載の部分毛染装置。
【請求項３】
前記染毛部部材と対向する前記毛染位置に配置された前記染毛部対向部材を離間方向に弾発的に付勢する部材付勢機構を、さらに有する請求項１または２に記載の部分毛染装置。
【請求項４】
前記待機位置に配置された前記染毛部対向部材の前記染毛部部材と対向する部分の左右両側に突出する一対の付着防止凸部が前記毛染装置本体の下面側の後部に形成されている請求項１ないし３の何れか一項に記載の部分毛染装置。
【請求項５】
前記染毛部対向部材は、前記染毛部対向部材の前記染毛部部材と対向する部分に複数の間隙が形成されており、
前記待機位置に配置された前記染毛部対向部材の前記染毛部部材と対向する部分の前記間隙から突出する付着防止凸部が前記毛染装置本体の下面側の後部に形成されている請求項１ないし３の何れか一項に記載の部分毛染装置。
【請求項６】
先細なテール部材が前記毛染装置本体の後部に形成されている請求項１ないし５の何れか一項に記載の部分毛染装置。
【請求項７】
前記テール部材が前記毛染装置本体の後部から後方に突出した使用位置と前記待機位置に配置された前記染毛部対向部材をカバーする閉止位置とに開閉自在に形成されている請求項６に記載の部分毛染装置。
【請求項８】
先細なテール部材が前記染毛部対向部材の周囲に対して回動自在に保持されている請求項１ないし５の何れか一項に記載の部分毛染装置。
【発明の詳細な説明】
【技術分野】
【０００１】
本発明は、頭髪の部分染めに利用される部分毛染装置に関する。
【背景技術】
【０００２】
現在、美容のために頭髪を毛染することが普及しており、毛染用の器具も各種が提供されている。頭髪の全部を一様に毛染する、いわゆる全体染めの場合は、特定部位の頭髪を選択する必要がないため、その作業は比較的容易である。
【０００３】
しかし、頭髪の一部を選択して毛染する、いわゆる部分染めは、作業が比較的煩雑である。例えば、ヘアサロンでは、いわゆるテールコームと呼称される櫛の先細のテール部分で、部分染めする頭髪を層状に頭部から引き出し、その頭髪に刷毛で染毛剤を塗布している。
【０００４】
なお、ここで云う頭髪を層状に引き出すとは、ひとまとまりの頭髪を、ほぼ等しい厚さの平面状に薄くばらけさせた状態で頭部から選り分けることを意味しており、例えば、後述する特許文献１の図１７にその態様が例示されている。
【０００５】
このように、頭髪の表層だけではなく、頭皮に近い内側の頭髪を選択して部分染めすることにより、毛染された内側の頭髪が表層の頭髪を通して観察されることとなり、自然な仕上がり状態に頭髪を染めることができる。
【０００６】
しかし、上述のようなヘアサロンの作業を個人ユーザが自身で実行することは困難である。そこで、このような部分染めを個人ユーザが自身で実行するための専用の器具も発案されている。
【０００７】
例えば、ある部分毛染装置は、染毛剤の吐出容器の口部に装着するノズル部材として形成されている。そのノズル部材は、先端部分に開口溝が形成されており、その間隙に部分染めする頭髪を挿通させることができるように形成されている。部分染めを実行する場合には、吐出容器に装着したノズル部材の開口溝に、部分染めしたい頭髪を束状に挿通させる。
【０００８】
このとき、ノズル部材を頭髪の根本部分に位置させておき、吐出容器を押圧しながら、部分染めする頭髪の根本部分から毛先部分までノズル部材を移動させる。すると、ノズル部材の開口溝に染毛剤が吐出されるので、これで頭髪の所望部分が部分染めされることになる(例えば、特許文献１参照)。
【先行技術文献】
【特許文献】
【０００９】
【特許文献１】特開平１０−２９０７１２号公報
【発明の概要】
【発明が解決しようとする課題】
【００１０】
しかし、上記文献の部分毛染装置では、部分染めする頭髪の完全に根本の部分を毛染することは困難である。
【００１１】
これは、ノズル本体の基端（接続部）の所定幅の分だけ、頭髪の根本に対して開口溝を完全に接近させることが困難なためである。また、この部分毛染装置では、毛先を指で摘んで頭髪をぴんと張った状態でノズル部材の開口溝に通す必要があることから、頭髪のもっとも先端を毛染することはできない。
【００１２】
このため、上記文献の部分毛染装置では、頭髪を根本近傍から毛先近傍までの途中長さのみ部分染めすることになり、頭髪の根本から毛先までの全長を部分染めすることが困難であった。さらに、開口溝の基端側から染毛剤が吐出されることから、開口溝の先端に挿通された頭髪の部分染めが不完全となる可能性もある。
【００１３】
本発明は上述のような課題に鑑みてなされたものであり、個人ユーザでも自身で容易に頭髪の所望部分を根本から毛先まで部分染めすることができる部分毛染装置を提供するものである。
【課題を解決するための手段】
【００１４】
本発明の部分毛染装置は、頭髪の部分染めに利用される部分毛染装置であって、毛染装置本体と、毛染装置本体の上面に吐出容器を保持する容器保持機構と、毛染装置本体の下面前部に形成されていて吐出容器に収容されている染毛剤を漏出させる染毛部部材と、保持されている吐出容器と染毛部部材とを配管する供給管と、染毛部部材を開放する待機位置と染毛部部材に所定間隔で対向する毛染位置とに変位自在に毛染装置本体の下面側に設けられた染毛部対向部材と、を有する。
【００１５】
従って、本発明の部分毛染装置では、染毛剤が収容されている吐出容器が、これに対応した形状に形成されている毛染装置本体の上面に、容器保持機構で保持される。このような状態で、毛染装置本体の下面前部に形成されている染毛部部材と保持されている吐出容器とが供給管で配管されるので、吐出容器が押圧されると染毛部部材に染毛剤が漏出する。そこで、染毛部対向部材を待機位置に配置したまま、上述のように染毛部部材に染毛剤を漏出させることで、その染毛部部材により部分染めする頭髪の根本部分を毛染することができる。そして、この根本部分の部分染めが完了したら染毛部対向部材を毛染位置に変位させて染毛部部材と所定間隔で対向させる。これで根本部分が部分染めされた頭髪が染毛部部材と染毛部対向部材とに把持されるので、吐出容器を押圧しながら毛染装置本体を頭髪の毛先部分まで移動させると、頭髪が根本部分から毛先部分まで連続的に部分染めされることになる。
【００１６】
なお、本発明の各種の構成要素は、必ずしも個々に独立した存在である必要はなく、複数の構成要素が一個の部材として形成されていること、一つの構成要素が複数の部材で形成されていること、ある構成要素が他の構成要素の一部であること、ある構成要素の一部と他の構成要素の一部とが重複していること、等でもよい。
【００１７】
さらに、本発明では前後左右上下の方向を規定しているが、これは本発明の構成要素の相対関係を簡単に説明するために便宜的に規定したものであり、本発明を実施する場合の製造時や使用時の方向を限定するものではない。
【００１８】
特に、各部の方向は各部ごとでよく、例えば、ある部分の前方と他の部分の前方とが相反していることも許容する。また、可動する部分の方向などは、必要により、その部分の代表的な使用状態での方向などで請求項には記載し、それを実施の形態で補足するものとする。
【００１９】
また、本発明で云う部分染めとは、頭髪を、例えば層状などに部分的に染毛剤で染色することである。また、染毛する幅を狭くした筋状染毛（いわゆるストリーク染毛）も本発明で云う部分染めの範疇である。なお当然ながら、部分染めを頭髪全体に実行すれば、頭髪全部を染毛剤で染色することも可能である。また、白髪染めとして生え際のみを選択的に染毛する場合にも効果的に使用することが出来る。
【００２０】
さらに、本発明で云う吐出容器とは、染毛剤を収容した柔軟なチューブやボトルを意味しており、手指で押圧するだけで収容されている染毛剤を吐出させることができるものである。
【発明の効果】
【００２１】
本発明の部分毛染装置では、染毛部対向部材を待機位置に配置したまま、上述のように染毛部部材に染毛剤を漏出させることで、その染毛部部材により部分染めする頭髪の根本部分を毛染することができる。そして、この根本部分の部分染めが完了したら染毛部対向部材を毛染位置に変位させて染毛部部材と所定間隔で対向させる。これで根本部分が部分染めされた頭髪が染毛部部材と染毛部対向部材とに挟持されて染毛剤が塗布されるので、吐出容器を押圧しながら毛染装置本体を頭髪の毛先部分まで移動させることで、個人ユーザでも容易に頭髪を根本から毛先まで部分染めすることができる。
【図面の簡単な説明】
【００２２】
【図１】本発明の実施の形態の部分毛染装置の外観を示す模式的な斜視図である。
【図２】部分毛染装置の外観を示し、(ａ)は染毛部対向部材を待機位置に配置した状態を示す側面図、（ｂ）は染毛部対向部材を待機位置から毛染位置まで変位させる途中の状態を示す側面図、(ｃ)は染毛部対向部材を毛染位置に配置した状態を示す側面図、である。
【図３】部分毛染装置の使用方法を示す模式図であり、（ａ）は頭髪の根本部分を毛染する状態を示す側面模式図、（ｂ）は頭髪の毛先部分を毛染する状態を示す側面模式図である。
【図４】一の変形例の部分毛染装置で染毛部対向部材を開閉する途中の状態を示す模式的な斜視図である。
【図５】染毛部対向部材を待機位置に配置した状態を示す模式的な斜視図である。
【図６】他の変形例の部分毛染装置で染毛部対向部材を開閉する途中の状態を示す模式的な斜視図である。
【図７】染毛部対向部材を待機位置に配置した状態を示す模式的な斜視図である。
【図８】さらに他の変形例の部分毛染装置でテール部材を使用位置に配置した状態を示す模式的な側面図である。
【図９】テール部材を待機位置に配置した状態を示す模式的な斜視図である。
【図１０】さらに他の変形例の部分毛染装置でテール部材を使用位置に配置した状態を示す模式的な側面図である。
【図１１】染毛部対向部材およびテール部材の分解斜視図である。
【発明を実施するための形態】
【００２３】
本発明の実施の一形態を図１ないし図３を参照して以下に説明する。本実施の形態の部分毛染装置１００は、図３に示すように、頭髪ＨＩの部分染めに利用される。このため、本実施の形態の部分毛染装置１００は、図１および図２に示すように、毛染装置本体１１０と、毛染装置本体１１０の上面に吐出容器ＳＴを保持する容器保持機構１１１と、毛染装置本体１１０の下面前部に形成されていて吐出容器ＳＴに収容されている染毛剤を漏出させる染毛部部材１２０と、保持されている吐出容器ＳＴと染毛部部材１２０とを配管する供給管１２１と、染毛部部材１２０を開放する待機位置と染毛部部材１２０に所定間隔で対向する毛染位置とに変位自在に毛染装置本体１１０の下面側に設けられた染毛部対向部材１３０と、を有する。
【００２４】
より詳細には、本実施の形態の部分毛染装置１００では、毛染装置本体１１０は、染毛剤が収容されているスクイズ容器などの吐出容器ＳＴに対応した形状（本実施形態では細長形状）に形成されている。
【００２５】
具体的には、本実施形態の毛染装置本体１１０は前後方向に細長形状の平板状に形成されており、その上面前方に吐出容器ＳＴの前部をクランプ状に保持するＵ字形状の容器保持機構１１１が一体に突設されている。
【００２６】
毛染装置本体１１０のうち容器保持機構１１１よりも前方の下面には、多数の植毛により平面形状が矩形の染毛部部材１２０が形成されている。染毛部部材１２０は、染毛剤を頭髪ＨＩに塗布するための部材である。
【００２７】
本実施形態では、染毛部部材１２０としてブラシを例示する。この染毛部部材１２０が形成されている毛染装置本体１１０の前部には貫通孔(図示せず)が形成されており、この貫通孔と吐出容器ＳＴの口部とが供給管１２１で配管されている。
【００２８】
毛染装置本体１１０の下面中央には、染毛部対向部材１３０を待機位置または毛染位置に変位させるヒンジ機構が設けられている。本実施形態では、ヒンジ機構として、毛染装置本体１１０の下方に染毛部対向部材１３０と一体に突設されている突出ヒンジ機構１１２を例示する。この突出ヒンジ機構１１２を介して、染毛部対向部材１３０は前後方向に揺動自在に毛染装置本体１１０に軸支されている。
【００２９】
この染毛部対向部材１３０は、図１に示すように、やはり前後方向に細長形状の平板状に形成されており、図２に示すように、毛染位置で染毛部部材１２０と対向する染毛部対向面部１３１が、毛染位置で染毛部対向部材１３０の上面前方に設定されている。
【００３０】
染毛部対向部材１３０は、毛染装置本体１１０の下面側に設けられている。染毛部対向部材１３０は、毛染装置本体１１０の下面に密着して設置されていてもよく、または毛染装置本体１１０の下面とは離間して設置されていてもよい。
【００３１】
例えば、湾曲したアームを備える突出ヒンジ機構１１２が毛染装置本体１１０の上面または側面に設けられ、染毛部対向部材１３０は毛染装置本体１１０の下面側で揺動自在となるよう上記のアームの先端に取り付けられていてもよい。
【００３２】
さらに、本実施の形態の部分毛染装置１００では、染毛部部材１２０と対向する毛染位置に配置された染毛部対向部材１３０を離間方向に弾発的に付勢する部材付勢機構１４０も設けられている。
【００３３】
この部材付勢機構１４０は、例えば、トーションスプリングからなり、図１および図２(ａ)に示すように、突出ヒンジ機構１１２に内蔵されている。この部材付勢機構１４０は、図２(ｂ)に示すように、毛染位置の染毛部対向部材１３０を染毛部部材１２０から離間方向に弾発的に付勢する。
【００３４】
上述のような構成において、本実施の形態の部分毛染装置１００では、染毛剤が収容されている吐出容器ＳＴが、これに対応した細長形状に形成されている毛染装置本体１１０の上面に、容器保持機構１１１で保持される。
【００３５】
本実施の形態の部分毛染装置１００は、上述のように吐出容器ＳＴが装着された状態で製品として販売されてもよく、吐出容器ＳＴを装着できる別個の製品として販売されてもよい。
【００３６】
上述のように吐出容器ＳＴが毛染装置本体１１０に保持された状態で、毛染装置本体１１０の下面前部に形成されている染毛部部材１２０と保持されている吐出容器ＳＴとが供給管１２１で配管される。
【００３７】
このような状態で吐出容器ＳＴと毛染装置本体１１０の下面後方の染毛部対向部材１３０とが手指により把持され(図示せず)、吐出容器ＳＴが押圧されると染毛部部材１２０に染毛剤が漏出する。
【００３８】
そこで、図１および図２(ａ)に示すように、染毛部対向部材１３０を待機位置に配置したまま、上述のように染毛部部材１２０に染毛剤を漏出させることで、図３(ａ)に示すように、その染毛部部材１２０により部分染めする頭髪ＨＩの根本部分を毛染することができる。
【００３９】
そして、この根本部分の部分染めが完了したら、図２(ｂ)に示すように、染毛部対向部材１３０を待機位置から毛染位置に向かって変位させる。そして、図２（ｃ）に示すように染毛部対向部材１３０を毛染位置まで変位させて、染毛部部材１２０と所定間隔で対向させる。これで根本部分が部分染めされた頭髪ＨＩが染毛部部材１２０と染毛部対向部材１３０との間に層状に挿通される（図３（ｂ）を参照）。
【００４０】
このような状態で吐出容器ＳＴと毛染装置本体１１０の下面後方とが手指により把持され(図示せず)、吐出容器ＳＴを押圧しながら毛染装置本体１１０を頭髪ＨＩの毛先部分まで移動させる。
【００４１】
これにより、頭髪ＨＩに対して根本部分から毛先部分まで連続的に染毛剤を塗布することができ、染毛剤の塗り斑が生じることがない。また、頭髪ＨＩは染毛部部材１２０と染毛部対向部材１３０とで薄い層状に把持された状態で染毛剤が塗布されるため、染毛剤を頭髪ＨＩに良好に含浸させることができる。
【００４２】
なお、上述のような部分染めを繰り返す場合には、部材付勢機構１４０で開放方向に付勢されている染毛部対向部材１３０が毛染位置から待機位置まで手指で変位され、上述の作業が繰り返されることになる。
【００４３】
本実施の形態の部分毛染装置１００では、上述のように染毛部部材１２０を開放する待機位置と頭髪ＨＩを把持する毛染位置とに染毛部対向部材１３０を開閉させることができるので、個人ユーザでも容易に頭髪ＨＩを層状に根本部分から毛先部分まで部分染めすることができる。
【００４４】
しかも、本実施の形態の部分毛染装置１００では、染毛部対向部材１３０は、毛染装置本体１１０の下面から下方に突出している突出ヒンジ機構１１２で前後方向に揺動自在に軸支されている。
【００４５】
このため、図１および図２(ａ)に示すように、待機位置では毛染装置本体１１０の下面側の後部に染毛部対向部材１３０を位置させることができ、部分毛染装置１００を安定に手指で把持することができる。なお、待機位置における染毛部対向部材１３０は、毛染装置本体１１０の下面に当接してもよく、または任意で設けられたストッパー部材（図示せず）との係止により毛染装置本体１１０の下面から離間した位置に設けられてもよい。
【００４６】
そして、図２(ｃ)に示すように、毛染位置では染毛部対向部材１３０は染毛部部材１２０に所定間隔で対向するので、頭髪ＨＩを安定に把持して部分染めすることができる。
【００４７】
特に、この状態では部材付勢機構１４０により染毛部対向部材１３０は染毛部部材１２０から離間する方向に付勢されているので、手指の加減により頭髪ＨＩを根本部分から毛先部分まで安定に挿通させて部分染めすることができる。
【００４８】
しかも、この部材付勢機構１４０は突出ヒンジ機構１１２に内蔵されているので、図１に示すように、染毛部対向部材１３０を待機位置に配置した状態で頭部に接触する可能性を低減することができる。
【００４９】
なお、本発明は本実施の形態に限定されるものではなく、その要旨を逸脱しない範囲で各種の変形を許容する。例えば、上記形態では毛染位置の染毛部対向部材１３０を染毛部部材１２０から弾発的に離間させる部材付勢機構１４０が、トーションスプリングからなり、待機位置で染毛部対向部材１３０の下面となる位置に装着されていることを例示した。
【００５０】
しかし、このような部材付勢機構が、Ｖ型の板バネやコイルスプリングで形成されていて待機位置で染毛部対向部材１３０の下面となる位置や、毛染装置本体１１０の下面前側に装着されていてもよい(いずれも図示せず)。
【００５１】
また、本実施形態においては、待機位置の染毛部対向部材１３０の染毛部対向面部１３１に手指が触れないよう、さらなる改良を施してもよい。例えば、図４および図５に例示する部分毛染装置２００のように、待機位置に配置された染毛部対向部材１３０の染毛部対向面部１３１の左右両側に突出する一対の付着防止凸部２１１が毛染装置本体２１０の下面側の後部に形成されていてもよい。
【００５２】
この場合、待機位置に配置された染毛部対向部材１３０の染毛部対向面部１３１の左右両側に付着防止凸部２１１が突出していることで、ユーザの手指が染毛部対向面部１３１に接触することが防止される。
【００５３】
このため、部分染め作業を繰り返す場合など、染毛部対向面部１３１に染毛剤が付着した状態の染毛部対向部材１３０を待機位置で保持する際に、ユーザの手指に染毛剤が付着してしまうことが防止できる。かかる観点から、付着防止凸部２１１は、待機位置における染毛部対向部材１３０の染毛部対向面部１３１を前後方向に包含する長さ寸法および位置であることが好ましい。
【００５４】
さらに、図６および図７に例示する部分毛染装置３００のように、染毛部対向部材３３０は、染毛部対向部材３３０の染毛部対向面部３３１に複数の間隙３３２が形成されており、待機位置に配置された染毛部対向部材３３０の染毛部対向面部３３１の複数の間隙３３２の各々から個々に突出する、複数の付着防止凸部３１１が毛染装置本体３１０の下面側の後部に形成されていてもよい。
【００５５】
この場合も、待機位置に配置された染毛部対向部材３３０の染毛部対向面部３３１に対して手指が接触することを、複数の付着防止凸部３１１で良好に防止することができる。これにより、染毛部対向面部３３１に付着している染毛剤が、ユーザの手指に付着してしまうことがない。
【００５６】
なお、このような付着防止凸部をピン状に二次元状に配列しておき、その付着防止凸部が個々に吐出する小孔を染毛部対向部材３３０の染毛部対向面部３３１に形成しておいてもよい(図示せず)。
【００５７】
また、染毛剤が高粘度の場合には、図４および図５に例示する部分毛染装置２００を採用し、低粘度の場合には、図６および図７に例示する部分毛染装置３００を採用するようなことも可能である。
【００５８】
また、上記形態では部分毛染装置１００に、いわゆるテール部分がないことを例示した。しかし、図８に例示する部分毛染装置４００のように、先細なテール部材４１０が毛染装置本体１１０の後部に形成されていてもよい。この場合、テール部材４１０で部分染めする頭髪ＨＩを層状に選択的に取得することができるので、より良好に部分染めを実行することができる。
【００５９】
さらに、この部分毛染装置４００では、図８および図９に示すように、テール部材４１０が毛染装置本体１１０の後部から後方に突出した使用位置と待機位置に配置された染毛部対向部材１３０をカバーする閉止位置とに開閉自在に形成されていてもよい。
【００６０】
このテール部材４１０は、末端部分４１１が染毛部対向部材１３０の染毛部対向面部１３１をカバーする平板状に形成されており、この末端部分４１１から先細なテール部分４１２が突設されている。
【００６１】
これにより、待機位置に配置された染毛部対向部材１３０の染毛部対向面部１３１に手指が接触することをテール部材４１０で防止することができるため、手指に染毛剤が付着してしまうことがない。
【００６２】
しかも、上述のようにテール部材４１０を待機位置に配置することにより、部分毛染装置４００の全長を短縮して搬送や携帯を容易にすることができ、先細なテール部材４１０が突出していることによる危険も防止することができる。
【００６３】
なお、テール部材４１０の形状は、種々の変更を許容する。図８に示したテール部材４１０のように左右方向に伸びる回転軸を中心として末端部分４１１が回動する態様に代えて、末端部分４１１の回転軸の延在方向を前後方向としてもよい。
【００６４】
図１０は、かかる変形例の部分毛染装置４００を示す斜視図である。本変形例の部分毛染装置４００は、先細なテール部材４１０が染毛部対向部材１３０の周囲に対して、回動自在に保持されている。
【００６５】
より具体的には、本変形例のテール部材４１０は、末端部分４１１がＵ字形状をなしている。末端部分４１１は、染毛部対向部材１３０の中間部に対して着脱可能に装着されている。また、テール部材４１０は染毛部対向部材１３０の延在方向を軸方向として、染毛部対向部材１３０に対して回動自在である。
【００６６】
図１０に示すように、本変形例のテール部材４１０は、略Ｌ字形状の板状であって、一端にＵ字形状の末端部分４１１が形成され、他端に先細形状のテール部分４１２が形成されている。
【００６７】
ここで、テール部分４１２は、その先細形状の先端を、染毛部対向部材１３０の先端側（図１０における左方）に向けて、染毛部対向部材１３０に取り付けられている。また、末端部分４１１は染毛部対向部材１３０の中間部よりも前方側（同図の左側）の位置に装着されている。
【００６８】
そして、染毛部対向部材１３０が毛染位置にあるとき、テール部分４１２は部分毛染装置４００の前方に向かって突出する。かかる状態で、ユーザはテール部分４１２で頭髪を掻き分け、部分染めの対象となる頭髪を表面に露出させることができる。
【００６９】
また、本変形例のテール部材４１０は、同図に矢印で示すように染毛部対向部材１３０の周囲を左右に揺動可能である。このため、テール部分４１２で頭髪を掻き分けた後、毛染装置本体１１０を持ち替えることなくテール部材４１０を回動させることで、テール部分４１２を毛染装置本体１１０の下面側から退避させることができる。
【００７０】
つまり、染毛部部材１２０で頭髪を部分染めを行うときには、テール部材４１０を回動させて、毛染装置本体１１０の側方または上面側にこれを退避させるとよい。そして、染毛部対向部材１３０の操作時には、図１０の状態からテール部材４１０を左または右方向に９０度回動させて、テール部材４１０と染毛部対向部材１３０とを互いに水平にしておくとよい。
【００７１】
これにより、突出ヒンジ機構１１２を中心に染毛部対向部材１３０を前後揺動させる際に、テール部材４１０が染毛部対向部材１３０と同一の平面内で前後揺動することとなり、テール部分４１２が頭皮や頭髪と不測に干渉することがない。
【００７２】
図１１は、染毛部対向部材１３０およびテール部材４１０の分解斜視図である。
テール部材４１０の末端部分４１１は開環円筒状をなし、同図に矢印で示すように染毛部対向部材１３０の頸部１３２に周着される。
【００７３】
頸部１３２は前後方向に延在する円柱状をなし、染毛部対向部材１３０の中間部よりも前方側（同図の左上側）であって、かつ染毛部対向面部１３１よりも後方側（同図の右下側）に形成されている。そして、テール部材４１０の末端部分４１１の開環を押し広げて頸部１３２の周囲に装着することにより、テール部材４１０は染毛部対向部材１３０に対して回動自在となる。
【００７４】
図１０、１１に示すように、本変形例の染毛部対向部材１３０の上面には、突出ヒンジ機構１１２と部材付勢機構１４０が設けられている。本変形例の部材付勢機構１４０は、Ｖ字状に上方開口した板バネ部１４２を有している。また、図１０に示すように、毛染装置本体１１０の下面側には、板バネ部１４２のＶ字状の開口に嵌合する楔部１４１が突出して形成されている。
【００７５】
板バネ部１４２は、Ｖ字形状の幅方向（左右方向）に弾性変形し、嵌合した楔部１４１に対して上方に弾性力を与える。これにより、本変形例の部材付勢機構１４０は毛染位置の染毛部対向部材１３０を染毛部部材１２０から弾発的に離間させる。
【００７６】
そして、待機位置から染毛位置までユーザが染毛部対向部材１３０を前方に揺動させて図１０の状態に至ったとき、楔部１４１と板バネ部１４２とは互いに嵌合し、染毛部対向部材１３０には下向きの荷重が与えられる。これにより、染毛部部材１２０と染毛部対向面部１３１との間に撃力が生じることがなく、部分毛染装置４００自体および把持される頭髪が保護される。
【００７７】
さらに、上記形態では、待機位置に至った染毛部対向部材１３０が毛染装置本体１１０の下面に密着する構造を例示した。このとき、突出ヒンジ機構１１２にラッチ機構(図示せず)が内蔵されており、毛染装置本体１１０の下面に密着させた状態で、待機位置の染毛部対向部材１３０を掛止してもよい。
【００７８】
これにより、待機状態の染毛部対向部材１３０が毛染装置本体１１０の下面から不測に離間することがない。また、かかるラッチ機構では、待機位置の染毛部対向部材１３０を所定の角度位置で停止させてもよい。所定の角度位置としては、染毛部部材１２０が前方に延在する方向をゼロ度として、９０度以上、好ましくは１２０度以上、１８０度未満の位置とすることができる。
【００７９】
また、本実施形態では、染毛部部材１２０として長繊維を植毛したブラシを例示したが、これに代えて、１ｍｍ以下程度の多数の短繊維を基材に静電植毛したブラシパッドや、不織布シートからなるシートパッド等でもよい。
【００８０】
また、上記形態では吐出容器を１重の吐出容器で例示したが、例えば特開平４−１８９７８１号公報、特開平１０−１６５２２２号公報等に記載の二重の吐出容器としてもよい。二重容器とすることにより、染毛剤が収容ないし充填されている内側容器を交換するだけで、外側容器を再利用することができる。
【００８１】
また、例えば特開２０００−１６４７０号公報等に記載のように、可撓性外側層と該外側層に剥離自在に積層された内側層で構成され、外側層に空気導入孔を備え、内側層に吐出口を連通してなる吐出容器も使用することもできる。該容器を使用した場合には、あらゆる容器姿勢で染毛剤を吐出でき、染毛剤の残量が少なくなっても、空気の巻き込みによる染毛剤の飛散を防止することができる。
【００８２】
なお、当然ながら、上述した実施の形態および複数の変形例は、その内容が相反しない範囲で組み合わせることができる。また、上述した実施の形態および変形例では、各部の構造などを具体的に説明したが、その構造などは本願発明を満足する範囲で各種に変更することができる。
【符号の説明】
【００８３】
１００    部分毛染装置
１１０    毛染装置本体
１１１    容器保持機構
１１２    突出ヒンジ機構
１２０    染毛部部材
１２１    供給管
１３０    染毛部対向部材
１３１    染毛部対向面部
１３２    頸部
１４０    部材付勢機構
１４１    楔部
１４２    板バネ部
２００    部分毛染装置
２１０    毛染装置本体
２１１    付着防止凸部
３００    部分毛染装置
３１０    毛染装置本体
３１１    付着防止凸部
３３０    染毛部対向部材
３３１    染毛部対向面部
３３２    間隙
４００    部分毛染装置
４１０    テール部材
４１１    末端部分
４１２    テール部分
ＨＩ    頭髪
ＳＴ    吐出容器
【図１】
2011101731.tif 000003
【図２】
2011101731.tif 000004
【図３】
2011101731.tif 000005
【図４】
2011101731.tif 000006
【図５】
2011101731.tif 000007
【図６】
2011101731.tif 000008
【図７】
2011101731.tif 000009
【図８】
2011101731.tif 000010
【図９】
2011101731.tif 000011
【図１０】
2011101731.tif 000012
【図１１】
2011101731.tif 000013